(57)【特許請求の範囲】
【請求項１】
基板ボックスと、その基板ボックス内に設けられる回路基板と、その回路基板の一の面に設けられる半導体素子とを有して構成される制御装置を備えた遊技機において、
前記基板ボックスは、ボックス本体と、前記回路基板の一の面を視認可能とする視認部を有するボックス蓋体とを有して構成され、
前記回路基板は、前記半導体素子の裏面に対向する透視部を有すると共に、
前記ボックス本体は、前記回路基板の透視部を介して前記半導体素子の裏面を視認可能とする裏面視認部を有することを特徴とする遊技機。
【請求項２】
基板ボックスと、その基板ボックス内に設けられる回路基板と、その回路基板の一の面に設けられる半導体ソケットと、その半導体ソケットに装着される半導体素子とを有して構成される制御装置を備えた遊技機において、
前記基板ボックスは、ボックス本体と、前記回路基板の一の面を視認可能とする視認部を有するボックス蓋体とを有して構成され、
前記回路基板は、前記半導体素子の裏面に対向する透視部を有すると共に、
前記ボックス本体は、前記回路基板の透視部を介して前記半導体素子の裏面または前記半導体ソケットを視認可能とする裏面視認部を有することを特徴とする遊技機。
【発明の詳細な説明】
【０００１】
【発明の属する技術分野】
本発明は、基板ボックス内に半導体素子を設けた回路基板を組み込んでなる制御装置を備えた遊技機に関する。
【０００２】
【従来の技術】
従来、例えばパチンコ機に使用する制御装置は、図８に示したように、ボックス本体１００と蓋体（図示せず）の組合せ構造である基板ボックス１０１と、その基板ボックス１０１内に固着した回路基板１０２と、その回路基板１０２に直接または半導体ソケット１０３を介して装着した半導体素子１０４とからなる。
【０００３】
【発明が解決しようとする課題】
近年、パチンコ機等の遊技機の分野において、前記制御装置からゲーム内容のプログラムを記録したＲＯＭ（半導体素子１０４）を取り外し、それを不正なＲＯＭ（いわゆる裏ＲＯＭ）に交換して大当たりの確率を高めるような犯罪行為が多発している。しかるに、プラグラムの内容は外見では判らないため、ＲＯＭが不正に交換されたものであるか否かの確認に手間が掛かる問題点があった。特に最近では、ＲＯＭ１０４を回路基板１０２に接続するための半導体ソケット１０３内に不正なＲＯＭを組み込み、真正なＲＯＭ１０４を機能させない状態にして前記半導体ソケット１０３上に設置しておく偽装工作が行われており、手口が巧妙化して不正なＲＯＭの発見が益々困難なものになってきている。
【０００４】
本発明は、上記問題点等に鑑みなされたもので、その目的は、基板ボックス内にある半導体素子またはソケット等に対する不正の確認が短時間で簡単に行える遊技機を提供することにある。
【０００５】
【課題を解決するための手段】
上記の目的を達成するため本発明は、基板ボックスと、その基板ボックス内に設けられる回路基板と、その回路基板の一の面に設けられる半導体素子とを有して構成される制御装置を備えた遊技機において、前記基板ボックスは、ボックス本体と、前記回路基板の一の面を視認可能とする視認部を有するボックス蓋体とを有して構成され、前記回路基板は、前記半導体素子の裏面に対向する透視部を有すると共に、前記ボックス本体は、前記回路基板の透視部を介して前記半導体素子の裏面を視認可能とする裏面視認部を有する遊技機を提供する。
また、基板ボックスと、その基板ボックス内に設けられる回路基板と、その回路基板の一の面に設けられる半導体ソケットと、その半導体ソケットに装着される半導体素子とを有して構成される制御装置を備えた遊技機において、前記基板ボックスは、ボックス本体と、前記回路基板の一の面を視認可能とする視認部を有するボックス蓋体とを有して構成され、前記回路基板は、前記半導体素子の裏面に対向する透視部を有すると共に、前記ボックス本体は、前記回路基板の透視部を介して前記半導体素子の裏面または前記半導体ソケットを視認可能とする裏面視認部を有する遊技機を提供する。
【０００６】
【作用】
半導体素子や半導体ソケットを不正に交換した場合、半導体素子や半導体ソケットの裏面にその痕跡が現れる場合が多い。本発明の遊技機によれば、前記回路基板の透視部とボックス本体の裏面視認部を通して半導体素子の裏面または半導体ソケットが視認可能であるため、半導体素子または半導体ソケットに対する不正の確認が短時間で簡単に行える。
【０００７】
【発明の実施の形態】
以下に本発明の実施の形態をパチンコ機を例示して説明する。なお、図１は制御装置の要部を示す分解斜視図、図２は要部の横断平面図、図３は要部の縦断正面図、図４はパチンコ機の裏面図である。
【０００８】
制御装置１は、直方体形状の基板ボックス２の中に回路基板３を組み込んで構成されている。基板ボックス２は、ボックス本体４と蓋体５の組合せ構造であって、ボックス本体４に対し蓋体５が着脱可能な状態に被せられ、その両者がビスなどの結合手段で一体に止められている。ボックス本体４は金属製であって、四角い底板４ａの四辺に側板４ｂを立設してなる。一方、蓋体５はボックス本体４と同様な金属製のボディに透明または半透明の合成樹脂板５ａ（図４参照）がはめ込まれていて、そこから基板ボックス２の内部が見えるようにしてある。
【０００９】
前記回路基板３は基板ボックス２のボックス本体４内にビス止めされている。回路基板３とボックス本体４の底板４ａとの間には軸筒状のスペーサー６が介装されていて適当な空間Ｓが設けられている。この回路基板３には周知のようにプリント配線が施され、そのプリント配線に合わせて半導体素子７，７…や抵抗など多数の電子部品が半田付けされている。
【００１０】
図示した半導体素子７は、ゲーム内容のプログラムを記録したいわゆるＲＯＭであって、合成樹脂製の本体部７ａから複数本の電極ピン７ｂ，７ｂ…を突設してなり、半導体ソケット８を介して回路基板３に装着されている。前記半導体ソケット８は二本のソケット本体８ａ，８ａを三本の横材８ｂ，８ｂ，８ｂで一体に連結したいわゆる梯子型であって、ソケット本体８ａに前記半導体素子７と同数の電極ピン８ｃ，８ｃ…があり、その電極ピン８ｃを回路基板３の取付孔９，９…に差し込んで半田付けしてある。また、半導体ソケット８のソケット本体８ａには前記半導体素子７の電極ピン７ｂを受け入れる接続孔８ｄ，８ｄ…が設けられていて、その接続孔８ｄに半導体素子７の電極ピン７ｂを差し込むようになっている。半導体素子７は、電極ピン７ｂを半導体ソケット８の接続孔８ｄに差し込むことにより、回路基板３に対して電気的に接続される。
【００１１】
しかして、前記回路基板３には半導体ソケット８の裏面であって中央の横材８ｂに対向する位置に透孔１０が穿設されている。透孔１０は図示した円形以外に長円、楕円、三角、四角など、どのような形状であってもよく、また、個数も一個に限定されない。一方、基板ボックス２のボックス本体４の底板４ａには、前記回路基板３の透孔１０の中心を通る軸線上に自己の円心を置く窓孔１１が穿設されている。この窓孔１１も前記透孔１０と同様どのような形状であってもよく、また、個数も一個に限定されない。なお、窓孔１１には透明キャップ１２が嵌め込まれている。この透明キャップ１２は本発明において必須の構成要素ではないが、例えば凸レンズ状にするなどして拡大機能を付加すれば後述する半導体素子７のチェックが行いやすくなる。
【００１２】
以上のように構成される制御装置１は、図４に示したように、パチンコ機Ｐの遊技板１３裏面に取り付けた入賞球集合カバー１４に設置され、前記ＲＯＭ（半導体素子７）のプログラムに従い、主としてパチンコ機Ｐのゲームを制御する。
【００１３】
次ぎに、半導体素子７のチェック方法について説明する。先ず、パチンコ機Ｐの前枠１５を開いて制御装置１を入賞球集合カバー１４から外し、その制御装置１を裏返しにする。なお、好ましくは図５に示したように、制御装置１の一側縁を蝶番１６により回動自在な状態にして入賞球集合カバー１４に取り付け、他側縁に止め外し自在なロック手段１７を設けておくようにするのがよい。そうすることにより、前記ロック手段１７を外して図５二点鎖線のように制御装置１を回動させることができるため、制御装置１を入賞球集合カバー１４から一々取り外さなくてもよくなる。
【００１４】
この状態で基板ボックス２の窓孔１１を覗く。半導体ソケット８と半導体素子７が真正なものであれば、回路基板３の透孔１０を介して半導体ソケット８の横材８ｂと半導体素子７の裏側が見える。もし、半導体ソケット８が不正な裏ＲＯＭを組み込んだ不正なソケットに交換されていれば、その不正なソケットに隠れて真正な半導体素子７の裏側が見えなくなるため一見して判る。
【００１５】
なお、好ましくは基板ボックス２の窓孔１１の周辺に照明用の補助孔１８（図１参照）を設け、その補助孔１８から室内光を取り入れるか、または懐中電灯のような照明具を当てて透孔１０の内部を明るく照らすようにするのがよい。或いは、ボックス本体４の側板４ｂに照明用の補助孔を設け、そこから室内光を取り入れるか、または懐中電灯のような照明具を当てて基板ボックス２内（特に回路基板３とボックス本体４の空間Ｓ）を明るく照らすようにしてもよい。そうすることにより、透孔１０を通して半導体素子７や半導体ソケット８の裏側が見易くなり、チェックの精度及び作業性が格段に向上する。
【００１６】
以上本発明を実施の形態により説明したが、もちろん本発明は上記実施形態に限定されるものではない。例えば、実施形態では半導体素子７としてＲＯＭを対象としたが、半導体素子７にはＣＰＵ（中央演算処理装置）などそれ以外のものも含まれる。
【００１７】
また、実施形態では基板ボックス２の窓孔１１をボックス本体４の底板４ａに形成したが、図６，図７のように傾斜させた反射板１９を設置することにより窓孔１１を側板４ｂに設けることも可能である。また、図示しないが、このような傾斜させた反射板１９を二枚対向させて組み合わせるか、或いは光ファイバーを使用すれば窓孔１１を基板ボックス２の蓋体５に設けることもできる。このように窓孔１１を基板ボックス２の側面や表側に設けるようにすれば、制御装置１をパチンコ機Ｐに設置したままの状態で前記チェック作業が行えるため、作業性が向上する。
【００１８】
また、実施形態では半導体ソケット８に裏ＲＯＭを組み込む不正手段を想定したが、例えば半導体素子７の裏面に特定の刻印（ロゴマークなど）を施すなどの手段を講じておけば、半導体素子７自体が不正に交換された場合にもチェック可能である。
【００１９】
また、実施形態では窓孔１１を覗き込むことにより視覚で確認するチェック方法を説明したが、深さを測るゲージを使ってチェックすることも可能である。すなわち、ボックス本体４の窓孔１１から半導体素子７の裏面までの距離は一定であるのに対し、半導体ソケット８に裏ＲＯＭを組み込めば半導体ソケット８が埋められた分だけ距離が短くなるのであるから、その距離の違いをゲージで検出するようにすればよい。なお、ゲージの種類は、測定子を差し込む方法や超音波による測定方法、または光による測定方法の何れであってもよい。測定子を窓孔１１に差し込む方法の場合は、測定子の先端にゴムなどの保護カバーを被せておけば半導体素子７を傷つけるおそれがない。
【００２０】
また、実施形態の制御装置１はパチンコ機Ｐに使用するものを例示したが、本発明は、それ以外にも半導体素子を交換して不正行為が行われるおそれがある全ての制御装置に対して適用可能である。例えばスロットルマシンその他のゲーム機に設置される制御装置がある。
【００２１】
【発明の効果】
本発明の遊技機によれば、回路基板の透視部とボックス本体の裏面視認部を通して半導体素子の裏面または半導体ソケットが視認可能であるため、半導体素子または半導体ソケットに対する不正の確認が短時間で簡単に行える。
【図面の簡単な説明】
【図１】  制御装置の要部を示す分解斜視図である。
【図２】  要部の横断平面図である。
【図３】  要部の縦断正面図である。
【図４】  パチンコ機の裏面図である。
【図５】  制御装置の好ましい取付構造を示す要部の横断平面図である。
【図６】  ボックス本体の側板に窓孔を設けた状態を示す要部の横断平面図である。
【図７】  ボックス本体の側板に窓孔を設けた状態を示す要部の縦断正面図である。
【図８】  従来装置の要部を示す分解斜視図である。
【符号の説明】
１  …制御装置
２  …基板ボックス
３  …回路基板
４  …ボックス本体
５  …ボックス蓋体（蓋体）
７  …半導体素子
８  …半導体ソケット
１０…透視部（透孔）
１１…裏面視認部（窓孔）
Ｐ  …遊技機（パチンコ機）
【図１】
0003928194.tif 000002
【図２】
0003928194.tif 000003
【図３】
0003928194.tif 000004
【図４】
0003928194.tif 000005
【図５】
0003928194.tif 000006
【図６】
0003928194.tif 000007
【図７】
0003928194.tif 000008
【図８】
0003928194.tif 000009